(57)【要約】【課題】この発明は、昇降路平面の投影面積を大幅に縮小化することができる等のエレベータのピット梯子を得る。【解決手段】この発明のエレベータのピット梯子は、昇降路７内に固定され昇降路７に沿って延びた第１の支柱１と、この第１の支柱１に対して一端部に回動自在に、かつ昇降路７の上下方向に間隔をおいて複数個設けられたステップ３と、第１の支柱１に対向しているとともに昇降路７に沿って延びて設けられ、かつステップ３の他端部が回動自在に設けられた第２の支柱２とを備え、第２の支柱２は、平行運動をなして第１の支柱１に接近し、また第１の支柱１から離間するようになっている。【選択図】        図１
2004224497.tif 000002
【特許請求の範囲】
【請求項１】
昇降路内に固定され昇降路に沿って延びた第１の支柱と、
この第１の支柱に対して一端部が回動自在に、かつ前記昇降路の上下方向に間隔をおいて複数個設けられたステップと、
前記第１の支柱に対向しているとともに前記昇降路に沿って延びて設けられ、かつ前記ステップの他端部に回動自在に設けられた第２の支柱と、
を備え、前記第２の支柱は、平行運動をなして前記第１の支柱に接近し、また第１の支柱から離間するようになっているエレベータのピット梯子。
【請求項２】
前記第２の支柱には、レバーの基端部が回動自在に設けられているとともに、前記基端部に係止部が形成され、また前記ステップには前記係止部に係止される被係止部が設けられ、前記係止部を前記被係止部に係止して前記レバーを回動することで、前記第２の支柱は前記第１の支柱に接近する請求項１に記載のエレベータのピット梯子。
【請求項３】
前記レバーの前記基端部は、前記ステップを回動自在に支持した軸に、回動自在に支持されている請求項２に記載のエレベータのピット梯子。
【請求項４】
前記レバーの先端部には、ばねにより一回動方向に付勢されたフックが設けられており、前記第１の支柱にはＵ字状の金具が設けられており、前記第２の支柱が前記第１の支柱に接近したときに、前記フックの先端部が前記ばねの弾性力に逆らって前記金具を飛び越えて金具に係止される請求項２または請求項３に記載のエレベータのピット梯子。
【請求項５】
前記第１の支柱には、エレベータの運転を制限する検知信号を出力するスイッチが設けられ、前記第２の支柱が前記第１の支柱に接近したときに、前記レバーが前記スイッチに当接して前記エレベータの運転が可能であり、前記レバーの前記スイッチに対する当接が解除されたときには、前記エレベータの運転が不可能となる請求項２ないし請求項４の何れかに記載のエレベータのピット梯子。
【請求項６】
前記第１の支柱は、エレベータの乗場側から前記昇降路内を視て左右の何れか一方に設けられ、前記第２の支柱は、第１の支柱から離間するときには、前記乗場の出入口側に平行移動するようになっている請求項１ないし請求項５の何れかに記載のエレベータのピット梯子。
【発明の詳細な説明】
【０００１】
【発明の属する技術分野】
この発明は、昇降路のピット内に取り付けられたエレベータのピット梯子に関するものである。
【０００２】
【従来の技術】
従来、エレベータのピット梯子では、一対の支柱が、スペースの関係で、昇降路の壁面に接近して設けられているので、保守者がピット梯子を昇降する際のステップの足掛け有効幅が小さく、昇降しづらいという問題点があった。
このような問題点を解決すべく、ピット梯子の一対の支柱を壁面に対して可動式にして、作業者がピット梯子を使用する時には、壁面からピット梯子を離間させて保守者が昇降し易くしたエレベータのピット梯子が提案されている（例えば、特許文献１参照）。
【０００３】
【特許文献１】
特開平６−１４６７６０号公報
【０００４】
【発明が解決しようとする課題】
しかしながら、近年、機械室レスエレベータのように、従来機械室に納めていた機器を昇降路内に配置するため、ピット内のピット梯子についていえば、昇降路平面の投影面積をなるだけ縮小化することが望まれるが、上記エレベータのピット梯子では、ピット梯子自体の昇降路投影面積の縮小化はなされてなく、そのような要望に応えていないという問題点があった。
また、上記エレベータのピット梯子では、エレベータのピット梯子は、乗場の出入口の近傍の昇降路の壁面側に設けられているが、作業者はステップに足を掛けるときに、無理な体勢から足を掛けなければならず、作業性が悪いという問題点もあった。
また、エレベータのピット梯子を移動させるに際しては、ピット梯子を移動させるに対して大きな重量負荷がかかるという問題点もあった。
【０００５】
この発明は、上記のような問題点を解決することを課題とするものであって、昇降路平面の投影面積を縮小化することができるとともに、作業性が向上し、さらに取り扱い時の負荷が軽減される等のエレベータのピット梯子を提供することを目的とする。
【０００６】
【課題を解決するための手段】
この発明に係るエレベータのピット梯子は、昇降路内に固定され昇降路に沿って延びた第１の支柱と、この第１の支柱に対して一端部が回動自在に、かつ前記昇降路の上下方向に間隔をおいて複数個設けられたステップと、前記第１の支柱に対向しているとともに前記昇降路に沿って延びて設けられ、かつ前記ステップの他端部に回動自在に設けられた第２の支柱とを備え、前記第２の支柱は、平行運動をなして前記第１の支柱に接近し、また第１の支柱から離間するようになっている。
【０００７】
【発明の実施の形態】
以下、この発明の実施の形態について説明するが、同一、同等部材、部位については同一符号を付して説明する。
実施の形態１．
図１はこの発明の実施の形態１のエレベータのピット梯子の正面図、図２は図１のＩＩ−ＩＩ線に沿った断面図である。
このエレベータのピット梯子は、図２においてエレベータの乗場側から昇降路７内を視て左側に設けられているとともに昇降路７に沿って延びた断面「コ」の字形状の第１の支柱１と、この第１の支柱１に対して一端部が軸４で回動自在に、かつ昇降路の上下方向に間隔をおいて複数個設けられたステップ３と、第１の支柱１に対向しているとともに昇降路に沿って延びて設けられ、かつステップ３の他端部に軸４で回動自在に設けられた断面「コ」の字形状の第２の支柱２とを備え、第２の支柱２は、平行運動をなして第１の支柱１に接近し、また第１の支柱１から離間するようになっている。
第１の支柱１はブラケット５を介して断面「Ｔ」の字形状のガイドレール６に固定されている。
【０００８】
第２の支柱２には、軸４ａを中心に回動自在のレバー８が設けられている。この軸４ａは、ステップ３をも回動自在に支持している。このレバー８の基端部にはコーナ部が切り欠かれた係止部である段部８ａが形成され、またステップ３には係止部８ａに係止される被係止部であるピン９が設けられ、段部８ａをピン９に係止してレバー８を回動することで、第２の支柱２は第１の支柱１に接近するようになっている。
レバー８の先端部には、フック１２が設けられている。Ｌ字形状のフック１２は、軸１４を中心に反時計方向にばね１３により付勢されている。
【０００９】
第１の支柱１にはＵ字状の金具１０が設けられている。また、この金具１０の近傍の第１の支柱１には、エレベータの運転を制限する検知信号を出力するスイッチ１１が設けられ、第２の支柱２が第１の支柱１に接近したときに、レバー８がスイッチ１１に当接してエレベータの運転が可能であり、レバー８のスイッチ１１に対する当接が解除されたときには、エレベータの運転が停止されるようになっている。
【００１０】
上記構成のエレベータのピット梯子では、レバー８を図１において軸４ａを中心に反時計方向に回動させることで、第１の支柱１に第２の支柱２を接近させることができる。
即ち、レバー８の回動させることで、図３に示すように、段部８ａがピン９に接触し、その後は、図４に示すように、軸４ｂを中心としてレバー８を回動させ、レバー８の回動に伴い、第２の支柱２を、平行運動をなして最終的には図５に示すように、第１の支柱１に接近させる。
この接近途中において、ピン１５により回動が阻止されていたフック１２の先端部はばね１３の弾性力に逆らって金具１０を飛び越えて金具１０に係止される（図６、図７参照）。
また、レバー８から突出した押さえ部８ｂはスイッチ１１を押すことで、エレベータの運転が再開される。
【００１１】
こうして、第１の支柱１および第２の支柱２は接近した状態で、図８に示すように、エレベータの乗場側から昇降路７内を視て左側に位置しているが、再びエレベータのピット梯子を使用しようとしたときには、作業者は、図９に示すように、乗場の出入口に真正面に立って、レバー８を持ちつつ、指でフック１２の突出片１２ａを図６において矢印イの方向に押すことで、金具１０からフック１２の係止を解除する。この解除に伴い、第２の支柱２は、自重で平行移動して、第１の支柱１から離間する。また、レバー８も自重により軸４ａを中心に回動する。
なお、金具１０からフック１２の係止が解除されるとともに、押さえ部８ｂはスイッチ１１から離れるので、エレベータの運転は使用できない状態になる。
【００１２】
上記構成のエレベータのピット梯子では、第２の支柱２に、レバー８の基端部が軸４ａを中心に回動自在に設けられているとともに、基端部に段部８ａが形成され、またステップ３には段部８ａに係止されるピン９が設けられており、段部８ａをピン９に係止してレバー８を回動することで、第２の支柱２は第１の支柱１に接近するようになっているので、レバー８は「てこ」として作用し、小さな力で第２の支柱２を第１の支柱１に接近させることができる。
また、レバー８は、ステップ３を回動自在に支持した軸４ａに回動自在に支持されているので、段部８ａがピン９に係止されたときには、ステップ３は、レバー８のほぼ直線上に位置することになり、レバー８とともに「てこ」として作用するので、腕の長さが長くなり、より小さな力で第２の支柱２を第１の支柱１に接近させることができる。
なお、係合部として段部８ａを設け、被係合部としてピン９を設けたが、レバーにピンを設け、ステップにこのピンと係合する段部を設けるようにしてもよい。
【００１３】
また、レバー８の先端部には、ばね１３により一回動方向に付勢されたフック１２が設けられ、第１の支柱１にはＵ字状の金具１０が設けられ、第２の支柱２が第１の支柱１に接近したときに、フック１２の先端部がばね１３の弾性力に逆らって金具１０を飛び越えて金具１０に係止されるので、第２の支柱２を第１の支柱１に接近させると同時にフック１２は自動的に金具１０に係止され、第２の支柱２は第１の支柱１と接近した状態で一体化される。
【００１４】
また、第１の支柱１には、エレベータの運転を制限する検知信号を出力するスイッチ１１が設けられ、第２の支柱２が第１の支柱１に接近したときに、レバー８がスイッチ１１に当接してエレベータの運転が可能であり、レバー８のスイッチ１１に対する当接が解除されたときには、エレベータの運転が不可能状態になるので、作業者がピット梯子を使用するときに、エレベータが運転されるようなことはない。
【００１５】
また、第１の支柱１は、エレベータの乗場側から昇降路７内を視て左右の片側に設けられ、第２の支柱２は、第１の支柱１から離間するときには、乗場の出入口側に平行移動するようになっているので、作業者は、乗場の出入口から無理なくレバー８に触ることができ、またステップ３に足を掛けることができる。
【００１６】
【発明の効果】
以上説明したように、この発明に係るエレベータのピット梯子によれば、昇降路内に固定され昇降路に沿って延びた第１の支柱と、この第１の支柱に対して一端部が回動自在に、かつ前記昇降路の上下方向に間隔をおいて複数個設けられたステップと、前記第１の支柱に対向しているとともに前記昇降路に沿って延びて設けられ、かつ前記ステップの他端部に回動自在に設けられた第２の支柱とを備え、前記第２の支柱は、平行運動をなして前記第１の支柱に接近し、また第１の支柱から離間するようになっているので、昇降路平面の投影面積を縮小することができ、エレベータのレイアウトの自由度が増す。
【図面の簡単な説明】
【図１】この発明の実施の形態１のエレベータのピット梯子の正面図である。
【図２】図１のＩＩ−ＩＩ線に沿った断面図である。
【図３】図１のピット梯子を不使用状態にセットする途中の正面図である。
【図４】図１のピット梯子を不使用状態にセットする途中の正面図である。
【図５】図１のピット梯子を不使用状態にセットしたときの正面図である。
【図６】図５のＡの箇所の拡大図である。
【図７】図６の平面図である。
【図８】図５のＶＩＩＩ−ＶＩＩＩ線に沿った断面図である。
【図９】図５のピット梯子のピット内での配置を示す図である。
【符号の説明】
１  第１の支柱、２  第２の支柱、３  ステップ、４  軸、４ａ、４ｂ  軸、７  昇降路、８  レバー、８ａ  段部（係合部）、９  ピン（被係合部）、１０金具、１１  スイッチ、１２  フック、１３  ばね。
【図１】
2004224497.tif 000003
【図２】
2004224497.tif 000004
【図３】
2004224497.tif 000005
【図４】
2004224497.tif 000006
【図５】
2004224497.tif 000007
【図６】
2004224497.tif 000008
【図７】
2004224497.tif 000009
【図８】
2004224497.tif 000010
【図９】
2004224497.tif 000011